(57)【要約】【課題】熱交換器を吊上げる場合の仮設材を減らすことによってコストを削減する。【解決手段】垂直に配置された板状部材を有する熱交換器１０の吊上げ方法であって、上記板状部材を上下に挟み込むことによって支持し、この支持箇所を吊上げることによって所定の位置まで熱交換器１０を吊上げる。【選択図】              図１
2004231383.tif 000002
【特許請求の範囲】
【請求項１】
垂直に配置された板状部材を有する熱交換器の吊上げ方法であって、
前記板状部材を上下に挟み込むことによって支持し、この支持箇所を吊上げることによって所定の位置まで熱交換器を吊上げることを特徴とする熱交換器の吊上げ方法。
【請求項２】
前記板状部材を複数箇所で上下に挟み込むことによって支持し、これら支持箇所の水平方向の移動を拘束し、各支持箇所を斜め上方から引っ張ることによって所定の位置まで熱交換器を吊上げることを特徴とする請求項１記載の熱交換器の吊上げ方法。
【請求項３】
垂直に配置された板状部材を有する熱交換器の吊上げ装置であって、
前記板状部材を上下に挟み込む支持体と該支持体を前記熱交換器に固定するための固定部とからなる吊上げ用冶具と、
該吊上げ用冶具に接続されるワイヤと、
該ワイヤを巻き取るジャッキと
を備えることを特徴とする熱交換器の吊上げ装置。
【請求項４】
前記支持体は２つの棒状部材であり、前記固定部は前記支持体である２つの棒状部材をボルト締めするための複数のシャフトであることを特徴とする請求項３記載の熱交換器の吊上げ装置。
【請求項５】
前記吊上げ用冶具を複数使用して前記熱交換器を斜め上方から吊上げる場合であって、前記熱交換器に生じる水平応力を緩和するように吊上げ用冶具同士を連結する水平材を備えることを特徴とする請求項３または４記載の熱交換器の吊上げ装置。
【請求項６】
前記水平材は、ターンバックル付きのワイヤであることを特徴とする請求項５記載の熱交換器の吊上げ装置。
【発明の詳細な説明】
【０００１】
【発明の属する技術分野】
本発明は、発電プラント等に設置される熱交換器の吊上げ方法及び装置に関する。
【０００２】
【従来の技術】
例えば火力発電所に設置されるローテミューレ式の熱交換器を建屋の内部に設置する場合には、予め熱交換器の周面を囲むように垂直に組み立てられた建屋の内部において、熱交換器を吊上げる工程がある。この熱交換器の上部は、同心円状に配置された複数の垂直状態の板状部材と同心円の中心から放射状に配置された複数の垂直状態の板状部材を組むことによって格子状に形状設定されている。そして、この熱交換器の上部は、中空の円筒形状の周面部に支持され、かつ、周面部の開口端を覆うように配置されている。このような熱交換器を吊上げる場合には、剛性の低い格子状の上部を直接吊上げることが出来ないため、例えば強度部材である周面上に仮設材を複数設置し、該仮設材を上方に設けられたジャッキによって熱交換器吊上げワイヤを介して各々吊上げることによって熱交換器を吊上げる。
【０００３】
【特許文献１】
特開２００２−１１５８０４号公報
【特許文献２】
特開平８−１８８３７３号公報
【０００４】
【発明が解決しようとする課題】
ところで、現場においては、建屋と熱交換器の周面部との間には様々な他の部材、例えば鉄骨や機器類が設置されている。そのため、熱交換器の周面上に設けられた仮設材を吊上げるための熱交換器吊上げワイヤを垂直状態にすることによって、熱交換器吊上げワイヤの占有面積を小さくして熱交換器と建屋の間において熱交換器吊上げワイヤが他の部材と干渉しないようにしている。ところが、熱交換器吊上げワイヤを垂直にするためには、ジャッキを熱交換器の周面上に設けられた仮設材の鉛直方向に配置する必要があり、そのために垂直に設置された建屋から熱交換器の周面上に設けられた仮設材の鉛直方向上方に亘って仮設材をさらに設置する必要がある。例えば、熱交換器の重量が約２００ｔであると、その熱交換器を吊上げるための仮設材の重量は約５００ｔにもなり、コスト増加の原因となる。
【０００５】
本発明は、上述する問題点に鑑みてなされたもので、熱交換器を吊上げる場合の仮設材を減らすことによってコストを削減することを目的とする。
【０００６】
【課題を解決するための手段】
上記目的を達成するために、本発明では、熱交換器の吊上げ方法に係る第１の手段として、垂直に配置された板状部材を有する熱交換器（１０）の吊上げ方法であって、上記板状部材を上下に挟み込むことによって支持し、この支持箇所を吊上げることによって所定の位置まで熱交換器（１０）を吊上げるという構成を採用する。
【０００７】
熱交換器の吊上げ方法に係る第２の手段として、上記第１の手段において、上記板状部材を複数箇所で上下に挟み込むことによって支持し、これら支持箇所の水平方向の移動を拘束し、各支持箇所を斜め上方から引っ張ることによって所定の位置まで上記熱交換器（１０）を吊上げるという構成を採用する。
【０００８】
熱交換器の吊上げ装置に係る第１の手段として、垂直に配置された板状部材を有する熱交換器（１０）の吊上げ装置であって、上記板状部材を上下に挟み込む支持体（５ａ１〜５ｄ１，５ａ２〜５ｄ２）と該支持体（５ａ１〜５ｄ１，５ａ２〜５ｄ２）を上記熱交換器（１０）に固定するための固定部（５ａ３〜５ｄ３）とからなる吊上げ用冶具（５ａ〜５ｄ）と、該吊上げ用冶具（５ａ〜５ｄ）に接続されるワイヤ（６ａ，６ｂ）と、該ワイヤ（６ａ，６ｂ）を巻き取るジャッキ（２ａ，２ｂ）とを備えるという構成を採用する。
【０００９】
熱交換器の吊上げ装置に係る第２の手段として、上記第１の手段において、上記支持体（５ａ１〜５ｄ１，５ａ２〜５ｄ２）は２つの棒状部材であり、上記固定部（５ａ３〜５ｄ３）は上記支持体（５ａ１〜５ｄ１，５ａ２〜５ｄ２）である２つの棒状部材をボルト締めするための複数のシャフトであるという構成を採用する。
【００１０】
熱交換器の吊上げ装置に係る第３の手段として、上記第１または第２の手段において、上記吊上げ用冶具（５ａ〜５ｄ）を複数使用して上記熱交換器（１０）を斜め上方から吊上げる場合であって、上記熱交換器（１０）に生じる水平応力を緩和するように吊上げ用冶具（５ａ〜５ｄ）同士を連結する水平材（７ａ〜７ｄ，８ａ〜８ｄ）を備えるという構成を採用する。
【００１１】
熱交換器の吊上げ装置に係る第４の手段として、上記第３の手段において、上記水平材は、ターンバックル（８ａ〜８ｄ）付きのワイヤ（７ａ〜７ｄ）であるという構成を採用する。
【００１２】
【発明の実施の形態】
以下、図面を参照して、本発明に係る熱交換器の吊上げ方法及び装置の一実施形態について説明する。
【００１３】
図１は、本実施形態に係る熱交換器の吊上げ方法を用いて吊上げる熱交換器１０の要部の概略図であり、図２は、本実施形態に係る熱交換器の上面図である。これらの図において、符号１は建屋、２ａ，２ｂはジャッキ（吊上げ手段）、３は熱交換器周面部、４は熱交換器上部、５ａ〜５ｄは吊上げ用冶具、６ａ，６ｂは熱交換器吊上げワイヤ（ワイヤ）、７ａ〜７ｄは冶具固定ワイヤ（ワイヤ）、８ａ〜８ｄはターンバックルである。なお、熱交換器周面部３及び熱交換器上部４は、熱交換器１０を構成するものであり、冶具固定ワイヤ７ａ〜７ｄ及びターンバックル８ａ〜８ｄは、本発明に係る水平材を構成するものである。また、本発明に係る熱交換器の吊上げ装置は、ジャッキ２ａ，２ｂ、吊上げ用冶具５ａ〜５ｄ、熱交換器吊上げワイヤ６ａ，６ｂ、冶具固定ワイヤ７ａ〜７ｄ、ターンバックル８ａ〜８ｄを備えている。
【００１４】
建屋１は、Ｈ鋼やＩ鋼等の鋼材によって形成された、例えば火力発電所の熱交換器１０を収納する建物の骨組みであり、熱交換器１０を囲むように垂直に組み上げられている。この建屋１の上部には、ジャッキ２ａ，２ｂが建屋１の内部に向けて設置されている。なお、ジャッキは、図１の左右のみならず、前後にも同様に建屋１の内部に向けて設置されている。このように、ジャッキは、剛性の高い建屋１の上部に設置されている。
【００１５】
建屋１の内部下方には、熱交換器１０が形成されている。この熱交換器１０は、上述のように熱交換器周面部３及び熱交換器上部４から構成されている。熱交換器上部４は、図２に示すように、同心円状に配置された複数の垂直状態の板状部材と同心円の中心から放射状に配置された複数の垂直状態の板状部材を組むことによって格子状に形状設定されている。そして、この熱交換器上部４は、中空の円筒形の熱交換器周面部３に固定され、かつ、熱交換器周面部３の上部の開口端を覆うように配置されている。
【００１６】
吊上げ用冶具５ａ〜５ｄは、熱交換器上部４を上下に挟み込むものであり、図２に示すように、熱交換器上部４の中心を取り囲むように、熱交換器上部４の４箇所に各々取り付けられている。
【００１７】
図３は、上記吊上げ用冶具５ａ〜５ｄの構造を表した図面であり、（ａ）は正面図、（ｂ）は側面図である。これらの図に示すように、吊上げ用冶具５ａ〜５ｄは、棒状部材の支持体上部５ａ１〜５ｄ１と、同じく棒状部材の支持体下部５ａ２〜５ｄ２と、支持体上部５ａ１〜５ｄ１と支持体下部５ａ２〜５ｄ２とをボルト締めすることによって上記熱交換器上部４に固定する４本のシャフト５ａ３〜５ｄ３（固定部）とから構成されている。なお、支持体上部５ａ１〜５ｄ１と支持体下部５ａ２〜５ｄ２は、本発明に係る支持体を構成するものである。
【００１８】
図２に示すように、吊上げ用冶具５ａは、吊上げ用冶具５ｃと冶具固定ワイヤ７ａによって接続され、かつ、吊上げ用冶具５ｄと冶具固定ワイヤ７ｄによって接続されている。また、吊上げ用冶具５ｂは、吊上げ用冶具５ｃと冶具固定ワイヤ７ｃによって接続され、かつ、吊上げ用冶具５ｄと冶具固定ワイヤ７ｂによって接続されている。このように、各々の吊上げ用冶具５ａ〜５ｄは、他の少なくとも１つの吊上げ用治具５ａ〜５ｄと冶具固定ワイヤ７ａ〜７ｄによって接続されている。
【００１９】
冶具固定ワイヤ７ａ〜７ｄの途中部位には、ターンバックル８ａ〜８ｄが各々設けられており、これらターンバックル８ａ〜８ｄを回転させることによって冶具固定ワイヤ７ａ〜７ｄの各々の長さを各々調節できるようになっている。また、図１に示すように、吊上げ用冶具５ａは、上記ジャッキ２ａと熱交換器吊上げワイヤ６ａによって接続されており、吊上げ用冶具５ｂは、上記ジャッキ２ｂと熱交換器吊上げワイヤ６ｂによって接続されている。なお、図示しないが、吊上げ用冶具５ｃ，５ｄも図１における前後に設けられた上記ジャッキと熱交換器吊上げワイヤによって各々接続されている。すなわち、吊上げ用治具５ａ〜５ｄは、剛性の高い建屋１の上部に設置されたジャッキ２ａ，２ｂ及び図示しないジャッキによって各々斜め方向から吊上げられる。
【００２０】
次に、本実施形態に係る熱交換器の吊上げ装置を用いた熱交換器の吊上げ方法ついて説明する。
【００２１】
熱交換器１０を吊上げるにあたって、まず、作業者は、上記吊上げ用冶具５ａ〜５ｄを熱交換器上部４の所定の位置に各々固定する。具体的には、作業者は、支持体上部５ａ１〜５ｄ１を熱交換器上部４の上面の所定位置に各々配置し、支持体下部５ａ２〜５ｄ２を熱交換器上部４の下面において支持体上部５ａ〜５ｄ１に対向するように配置する。そして、作業者は、支持体上部５ａ１〜５ｄ１と支持体下部５ａ２〜５ｄ２とを４つのシャフト５ａ３〜５ｄ３を用いてボルト締めすることによって支持体上部５ａ１〜５ｄ１と支持体下部５ａ２〜５ｄ２を熱交換器上部４に各々固定する。すなわち、吊上げ用冶具５ａ〜５ｄは、熱交換器上部４を挟み込んだ状態で該熱交換器１０の所定位置に各々固定される。
【００２２】
そして、作業者は、吊上げ用冶具５ａと吊上げ用冶具５ｃとを冶具固定ワイヤ７ａによって接続し、吊上げ用冶具５ｃと吊上げ用冶具５ｂとを冶具固定ワイヤ７ｃによって接続し、吊上げ用冶具５ｂと吊上げ用冶具５ｄとを冶具固定ワイヤ７ｂによって接続し、吊上げ用冶具５ｄと吊上げ用冶具５ａとを冶具固定ワイヤ７ｄによって接続する。その後、作業者は、各々の冶具固定ワイヤ７ａ〜７ｄの途中部位に設置されたターンバックル８ａ〜８ｄを回転させることによって冶具固定ワイヤ７ａ〜７ｄをきつく張らせる。
【００２３】
続いて、作業者は、熱交換器吊上げワイヤ６ａによって吊上げ用冶具５ａとジャッキ２ａとを接続し、熱交換器吊上げワイヤ６ｂによって吊上げ用冶具５ｂとジャッキ２ｂとを接続する。また、作業者は、吊上げ用冶具５ｃ，５ｄも図１における前後に設置されたジャッキと熱交換器吊上げワイヤを用いて接続する。
【００２４】
そして、作業者は、上記ジャッキ２ａ，２ｂ及び図示しないジャッキを用いて熱交換器吊上げワイヤ６ａ，６ｂ及び図示しない熱交換器吊上げワイヤを巻き取ることによって熱交換器１０を所定の位置まで吊上げる。
【００２５】
熱交換器上部４は、上述のように複数の垂直な板状部材によって構成されているので局所的には、自らの重量を支える強度を有していない。しかしながら、本実施形態に係る吊上げ用冶具５ａ〜５ｄは、棒状部材の支持体上部５ａ１〜５ｄ１と棒状部材の支持体下部５ａ２〜５ｄ２とによって熱交換器上部４を構成する垂直な板状部材を複数挟み込んでいるので、自らの重量を支えることが可能となる。
【００２６】
また、吊上げ用冶具５ａ〜５ｄは斜め方向から引っ張られるため、吊上げ用冶具５ａ〜５ｄには水平応力がかかる。しかしながら、吊上げ用冶具５ａ〜５ｄ同士を連結する水平材（冶具固定ワイヤ７ａ〜７ｄ及びターンバックル８ａ〜８ｄ）が備えられているので、熱交換器１０に生じる水平応力は緩和される。結果、水平応力による熱交換器１０の破損を防止することが可能となる。
【００２７】
これに加え、熱交換器吊上げワイヤ６ａ，６ｂ及び図示しない熱交換器吊上げワイヤが熱交換器周面部３と建屋１の間に入り込まないので、熱交換器周面部３と建屋１の間に干渉物がある場合であっても、本実施形態に係る熱交換器の吊上げ方法によれば、熱交換器１０を吊上げることが可能となる。
【００２８】
このように、本発明に係る熱交換器の吊上げ方法によれば、仮設材を設置することなく熱交換器１０の吊上げを行うことが可能となる。
【００２９】
なお、本発明は上記実施形態に限定されるものではなく、以下のような変形例が考えられる。
（１）上記実施形態において、４つの吊上げ用冶具５ａ〜５ｄを熱交換器上部４に固定した。しかしながら、これに限られるものではなく、例えば、５つの吊上げ用冶具を熱交換器上部４に固定しても良い。なお、５つの吊上げ用冶具を熱交換器上部４に固定する場合には、建屋１に５つのジャッキを設置する。
【００３０】
（２）上記実施形態において、途中部位にターンバックル８ａ〜８ｄを設置した冶具固定ワイヤ７ａ〜７ｄによって吊上げ用冶具５ａ〜５ｄを接続した。しかしながら、これに限られるものではなく、例えば予め吊上げ用冶具５ａ〜５ｄに上記冶具固定ワイヤ７ａ〜７ｄの半分の長さの冶具固定ワイヤを設置しておき、吊上げ用冶具５ａ〜５ｄを熱交換器上部４に固定してから所定の冶具固定ワイヤ同士をターンバックルによって各々接続しても良い。
【００３１】
（３）上記実施形態において、作業者は、吊上げ用冶具５ａと吊上げ用冶具５ｃとを冶具固定ワイヤ７ａによって接続し、吊上げ用冶具５ｃと吊上げ用冶具５ｂとを冶具固定ワイヤ７ｃによって接続し、吊上げ用冶具５ｂと吊上げ用冶具５ｄとを冶具固定ワイヤ７ｂによって接続し、吊上げ用冶具５ｄと吊上げ用冶具５ａとを冶具固定ワイヤ７ｄによって接続した。しかしながら、これに限られるものではなく、例えば、吊上げ用冶具５ａと吊上げ用冶具５ｂとを冶具固定ワイヤによってさらに接続し、吊上げ用冶具５ｃと吊上げ用冶具５ｄとを冶具固定ワイヤによってさらに接続しても良い。
【００３２】
（４）上記実施形態において、支持体上部５ａ１〜５ｄ１及び支持体下部５ａ２〜５ｄ２を棒状部材とした。しかしながら、これに限定されるものではなく、例えば、板状部材としても良い。支持体上部５ａ１〜５ｄ１及び支持体下部５ａ２〜５ｄ２を板状部材とすることで、熱交換器上部４の垂直は板状部材をより多数の挟み込むことができるので、より安定して熱交換器１０を吊上げることが可能となる。
【００３３】
（５）上記実施形態において、支持体上部５ａ１〜５ｄ１と支持体下部５ａ２〜５ｄ２とを４本のシャフト５ａ３〜５ｄ３によってボルト締めした。しかしながら、４本以上のシャフトによって支持体上部５ａ１〜５ｄ１と支持体下部５ａ２〜５ｄ２とをボルト締めしても良い。
【００３４】
【発明の効果】
以上説明したように、本発明によれば、垂直に配置された板状部材を有する熱交換器の吊上げ方法であって、上記板状部材を上下に挟み込むことによって支持し、この支持箇所を吊上げることによって所定の位置まで熱交換器を吊上げるので、熱交換器を吊上げる場合の仮設材を減らすことによってコストを削減することが可能となる。
【図面の簡単な説明】
【図１】本発明の一実施形態に係る熱交換器の吊上げ方法を用いて吊上げる熱交換器１０の要部の概略図である。
【図２】本発明の一実施形態に係る熱交換器１０の上面図である。
【図３】本発明の一実施形態に係る吊上げ用冶具５ａ〜５ｄの構造を表した図面であり、（ａ）は正面図、（ｂ）は側面図である。
【符号の説明】
１……建屋
２ａ，２ｂ……ジャッキ
３……熱交換器周面部
４……熱交換器上部
５ａ〜５ｄ……吊上げ用冶具
６ａ，６ｂ……熱交換器吊上げワイヤ（ワイヤ）
７ａ〜７ｄ……冶具固定ワイヤ（ワイヤ）
８ａ〜８ｄ……ターンバックル
１０……熱交換器
【図１】
2004231383.tif 000003
【図２】
2004231383.tif 000004
【図３】
2004231383.tif 000005